(57)【要約】  ＭＳＩＳＤＮが全ての移動電話で不変である場合に、通信ネットワークでの登録サポートシステムの初期登録は複雑なシグナリング手順を必要とする。本発明の例示的な実施例によれば、通信ネットワークでのＰＡＢＸ機能を備えた移動局の改善した登録が提供され得る。ユーザのグループは、個々のＳＩＭカードに格納される異なるＭＳＩＳＤＮ内線番号で、共通の国際移動加入者識別子と移動局ＩＳＤＮ番号とを共有することが可能になる。従って、コアネットワーク内部のシグナリング手順がかなり簡略化され得る。
2008515267.tif 000002
【特許請求の範囲】
【請求項１】
通信ネットワークでの第１の移動局の初期登録用の登録サポートシステムであって：
第１のデータ記憶手段を備えた前記第１の移動局と；
第２のデータ記憶手段を備えた第２の移動局と；
を有し；
前記第１のデータ記憶手段は、加入者識別情報と第１の識別子とを有する第１の情報を格納するように適合され；
前記第２のデータ記憶手段は、前記加入者識別情報と第２の識別子とを有する第２の情報を格納するように適合され；
前記第１の識別子は前記第２の識別子と異なる登録サポートシステム。
【請求項２】
前記第１の移動局は、前記加入者識別情報と共に前記第１の識別子を送信するように適合され；
前記加入者識別情報は、前記第１のデータ記憶手段と前記第２のデータ記憶手段とを有するデータ記憶手段のグループに対応し；
前記第１の識別子は前記第１のデータ記憶手段に対応する請求項１に記載の登録サポートシステム。
【請求項３】
前記第１の移動局は、前記加入者識別情報及び第１の装置識別情報と共に前記第１の識別子を前記通信ネットワークに送信するように適合され；
前記第１の装置識別情報は、前記第１の移動局に対応する請求項２に記載の登録サポートシステム。
【請求項４】
前記第１のデータ記憶手段は、第１の加入者識別モジュールを有し；
前記第１の加入者識別モジュールは、前記第１の情報を格納するように適合される請求項１に記載の登録サポートシステム。
【請求項５】
前記登録サポートシステムは、前記第１の移動局がネットワークに最初にブッキングするときに、生成プロトコルに基づいて前記第１の識別子の生成を起動するように適合され；
前記第１の識別子の生成の後に、前記第１の識別子は、前記第１のデータ記憶手段に格納される請求項１に記載の登録サポートシステム。
【請求項６】
選択手段を更に有し；
前記選択手段は、ユーザにより前記第１の識別子を選択するように適合され；
前記第１の識別子の選択の後に、前記第１の識別子は、前記第１のデータ記憶手段に格納される請求項５に記載の登録サポートシステム。
【請求項７】
前記第１の移動局は、前記第１の移動局に対応する第１の装置識別情報を有し；
前記登録サポートシステムは、前記第１のデータ記憶手段に前記第１の装置識別情報を格納するように適合される請求項１に記載の登録サポートシステム。
【請求項８】
前記加入者識別情報と前記第１の識別子との間の割り当てを前記通信ネットワークのレジスタに格納するように適合される請求項１に記載の登録サポートシステム。
【請求項９】
前記加入者識別情報と前記装置識別情報と前記第１の識別子との間の割り当てを前記通信ネットワークのレジスタに格納するように適合される請求項１に記載の登録サポートシステム。
【請求項１０】
前記第１のデータ記憶手段から前記第１の装置識別情報の手動除去を実行するように適合される請求項１に記載の登録サポートシステム。
【請求項１１】
通信ネットワークで初期登録する移動局であり、第１のデータ記憶手段を有する移動局であって：
前記第１のデータ記憶手段は、加入者識別情報と第１の識別子とを有する第１の情報を格納するように適合され；
前記第１の識別子は、第２の移動局の第２のデータ記憶手段により前記加入者識別情報と共に格納される第２の識別子と異なる移動局。
【請求項１２】
通信ネットワークでの移動局の初期登録方法であり、前記移動局は、第１のデータ記憶手段を有する方法であって：
前記移動局から前記通信ネットワークに、前記第１のデータ記憶手段に共に格納される第１の識別子と加入者識別情報とを送信するステップを有し；
前記加入者識別情報は、前記第１のデータ記憶手段を有するデータ記憶手段のグループに対応し；
前記第１の識別子は、前記第１のデータ記憶手段に対応する方法。
【請求項１３】
装置識別情報は、前記第１の識別子及び前記加入者識別情報と共に送信され；
前記装置識別情報は、前記移動局に対応し；
前記第１の識別子は：
前記第１の移動局が最初に前記ネットワークにブッキングするときに、生成プロトコルに基づいて前記登録サポートシステムにより前記第１の識別子を生成するステップと；
前記第１の識別子の生成の後に、前記第１の識別子を前記第１のデータ記憶手段に格納するステップと；
により前記第１のデータ記憶手段に格納される請求項１２に記載の方法。
【請求項１４】
ユーザにより前記第１の識別子を選択するステップを更に有し；
前記第１の識別子の選択の後に、前記第１の識別子は前記第１のデータ記憶手段に格納される請求項１２に記載の方法。
【請求項１５】
前記加入者識別情報と前記第１の識別子との間の割り当てを前記通信ネットワークのレジスタに格納するステップを更に有する請求項１２に記載の方法。
【請求項１６】
前記加入者識別情報と前記装置識別情報と前記第１の識別子との間の割り当てを前記通信ネットワークのレジスタに格納するステップを更に有する請求項１３に記載の方法。
【請求項１７】
ＵＭＴＳデのデータ伝送に適用される請求項１２に記載の方法。
【請求項１８】
通信ネットワークで移動局の初期登録を実行するコンピュータプログラムであって：
前記コンピュータプログラムがプロセッサで実行されると、
加入者識別情報及び装置識別情報と共に、第１のデータ記憶手段に格納された第１の識別子を前記移動局から前記通信ネットワークに送信する動作をプロセッサに実行させ；
前記移動局は、前記第１のデータ記憶手段を有し；
前記装置識別情報は、前記移動局に対応し；
前記加入者識別情報は、前記第１のデータ記憶手段を有するデータ記憶手段のグループに対応し；
前記第１の識別子は、前記第１のデータ記憶手段に対応するコンピュータプログラム。
【発明の詳細な説明】
【技術分野】
【０００１】
本発明は、通信ネットワークでの移動局又は移動電話の登録に関する。特に、本発明は、通信ネットワークでの第１の移動局の初期登録用の登録サポートシステムと、通信ネットワークで初期登録する移動局と、通信ネットワークでの移動局の初期登録方法と、通信ネットワークで移動局の初期登録を実行するソフトウェアプログラムプロダクトとに関する。
【背景技術】
【０００２】
国際移動電話加入者識別情報（ＩＭＳＩ：ｉｎｔｅｒｎａｔｉｏｎａｌ  ｍｏｂｉｌｅ  ｓｕｂｓｃｒｉｂｅｒ  ｉｄｅｎｔｉｔｙ）は、移動電話ネットワークオペレータとの契約を規定する明白な識別情報である。通常では、この契約に対応するものは個人である。セキュリティ関連情報及び例えば電話帳エントリーと共に、ＩＭＳＩは、加入者識別モジュール（ＳＩＭ：ｓｕｂｓｃｒｉｂｅｒ  ｉｄｅｎｔｉｔｙ  ｍｏｄｕｌｅ）に格納される。加入者識別モジュールは、如何なる移動電話に挿入されてもよく、契約が確立されているオペレータにより提供される移動電話ネットワークを介して接続を設定することを可能にする。
【０００３】
移動局ＩＳＤＮ番号（ＭＳＩＳＤＮ）がＩＭＳＩに関連付けられる。移動局ＩＳＤＮ番号を介して、特定のＩＭＳＩを扱うＳＩＭを有する移動電話は、他の移動電話から到達可能であり、また、固定ネットワークを介して到達可能である。
【０００４】
ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）又はＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の現在の番号方式では、コアネットワーク（ＣＮ：ｃｏｒｅ  ｎｅｔｗｏｒｋ）内で、或る場合には無線アクセスネットワーク（ＲＡＮ：ｒａｄｉｏ  ａｃｃｅｓｓ  ｎｅｔｗｏｒｋ）内で加入者／契約を特定するために使用されるものはＩＭＳＩである。従って、大規模では、同じＩＭＳＩを扱う複数のＳＩＭカードを発行することは不可能である。この理由は、同じＩＭＳＩを備えた２つの電話がＲＡＮ及びＣＮで登録すると、ＣＮとＲＡＮとの双方が混乱するからである。
【０００５】
これらの技術的詳細は、ＩＭＳＩを扱う複数のＳＩＭを発行することを否定するが、これを行うことが有利になり得るシナリオが存在する。ＵＳ５，７６５，１０５“Ｃｏｍｍｕｎｉｃａｔｉｏｎ  Ｓｙｓｔｅｍ  ｃａｐａｂｌｅ  ｏｆ  ｕｓｉｎｇ  ａ  ｐｌｕｒａｌｉｔｙ  ｏｆ  ｓｕｂｓｃｒｉｂｅｒ  ｉｄｅｎｔｉｔｙ  ｍｅｄｉａ  ｓｈａｒｉｎｇ  ａ  ｓｉｎｇｌｅ  ｓｕｂｓｃｒｉｂｅｒ  ｉｄｅｎｔｉｔｙ  ｉｎｆｏｒｍａｔｉｏｎ”に記載のように、ＲＡＮ及びコアネットワークに対するＰＡＢＸ（Ｐｒｉｖａｔｅ  Ａｕｔｏｍａｔｉｃ  Ｂｒａｎｃｈ  Ｅｘｃｈａｎｇｅ）エンドポイントの識別情報の問題は、ＳＩＭに格納されたＩＭＳＩと各移動電話に格納された一意の国際移動装置識別情報（ＩＭＥＩ：ｉｎｔｅｒｎａｔｉｏｎａｌ  ｍｏｂｉｌｅ  ｅｑｕｉｐｍｅｎｔ  ｉｄｅｎｔｉｔｙ）とを組み合わせることにより克服可能である。ＵＳ５，７６５，１０５は参照として取り込まれる。同じＩＭＳＩを有するＳＩＭを備えた複数の移動電話が無線アクセスネットワーク及びコアネットワークに登録され、これらのうち１つが発呼されると、発呼ルーティングが行われるための複雑な手順が必要になる。
【発明の開示】
【発明が解決しようとする課題】
【０００６】
通信ネットワークでの移動局の改善した登録を提供することが、本発明の目的である。
【課題を解決するための手段】
【０００７】
請求項１に記載の本発明の例示的な実施例によれば、前記の目的は、通信ネットワークでの第１の移動局の初期登録用の登録サポートシステムにより解決可能であり、登録サポートシステムは、第１のデータ記憶手段を備えた第１の移動局と、第２のデータ記憶手段を備えた第２の移動局とを有し、第１のデータ記憶手段は、加入者識別情報と第１の識別子とを有する第１の情報を格納するように適合され、第２のデータ記憶手段は、加入者識別情報と第２の識別子とを有する第２の情報を格納するように適合される。加入者識別情報は、第１のデータ記憶手段と第２のデータ記憶手段とを有するデータ記憶手段のグループに対応する。更に、第１の識別子は第２の識別子と異なる。
【０００８】
換言すると、本発明のこの例示的な実施例によれば、登録サポートシステムは、同じＩＭＳＩ（従って、同じＭＳＩＳＤＮ）を全て格納するが、異なる識別子を格納するデータ記憶手段をそれぞれ有する複数の移動局又は受信局を有してもよい。
【０００９】
このような識別子は、例えばＰＡＢＸ機能の意味でのＭＳＩＳＤＮ内線番号（すなわち、発呼手順の間にユーザによりＭＳＩＳＤＮと共に個々のエンドポイント識別情報に使用されるもの）でもよい。
【００１０】
識別子はまた、マッピングテーブルを用いてＭＳＩＳＤＮ内線番号にマッピングされてもよい。マッピングテーブルは、識別子をＭＳＩＳＤＮ内線番号に一意にマッピングする。
【００１１】
識別子はまた、ＭＳＩＳＤＮ内線番号及びＭＳＩＳＤＮ内線番号への一意のポインタに対応してもよい。すなわち、識別子はＭＳＩＳＤＮ内線番号とＭＳＩＳＤＮ内線番号への一意のポインタとを有する対である。
【００１２】
有利には、移動オペレータは、同じＩＭＳＩを扱うＳＩＭのセットを発行してもよい。ＳＩＭのセットは、顧客（例えば中小企業）にＰＡＢＸのような接続環境を設定するために使用され得る。各従業員は自分の移動電話で使用されるＳＩＭを取得し、全てのこれらのＳＩＭは同じＩＭＳＩを格納するが、異なるＭＳＩＳＤＮ内線番号又は異なるＭＩＳＩＤＮ内線番号にマッピングされた異なる識別子を格納する。
【００１３】
請求項２に記載の本発明の他の例示的な実施例によれば、第１の移動局は、加入者識別情報と共に第１の識別子を送信するように適合され、加入者識別情報は、第１のデータ記憶手段と第２のデータ記憶手段とを有するデータ記憶手段のグループに対応し、第１の識別子は第１のデータ記憶手段に対応する。
【００１４】
移動局が他の端末装置と通信するためにネットワークを使用することができるように通信ネットワークにブッキング（ｂｏｏｋ）すると、移動局は、加入者識別情報と共に第１の識別子を通信ネットワークに送信してもよい。
【００１５】
識別子及びＭＳＩＳＤＮ内線番号が同一でない場合、加入者識別情報と共に通信ネットワークに送信されるものは、ＭＳＩＳＤＮ内線番号ではなく、識別子でもよい。
【００１６】
請求項３に記載の本発明の他の例示的な実施例によれば、第１の移動局は、加入者識別情報及び第１の装置識別情報と共に第１の識別子を通信ネットワークに送信するように適合され、第１の装置識別情報は、第１の移動局に対応し、第１の識別子は、第１のデータ記憶手段に対応する。
【００１７】
移動局が他の端末装置と通信するためにネットワークを使用することができるように通信ネットワークにブッキングすると、移動局は、加入者識別情報及び装置識別情報と共に第１の識別子を通信ネットワークに送信してもよい。移動電話がネットワークにブッキング（“ネットワークに登録する”という用語と異なる）したときに、通信ネットワークに伝達されるものは、単に加入者識別情報だけではない点に留意すべきである。その程度において、この例示的な実施例は、識別子及び装置識別情報によりこの登録手順を補ってもよい。識別子及びＭＳＩＳＤＮ内線番号が同一でない場合、移動局が他の端末装置と通信するためにネットワークを使用することができるように通信ネットワークにブッキングすると、加入者識別情報及び装置識別情報と共に通信ネットワークに送信されるものは、ＭＳＩＳＤＮ内線番号ではなく、識別子でもよい。
【００１８】
有利には、例えばネットワークが移動電話のＩＭＥＩを問い合わせる必要がないという意味で、このことは更にシグナリングを簡略化し得る。コアネットワークノード間で識別子を伝達する更なるメッセージフィールドが追加される必要がなく、このため、標準化活動が最小化されるという意味で、コアネットワーク内部のシグナリングを簡略化し得る。
【００１９】
有利には、本発明のこの例示的な実施例によれば、オペレータは、予め移動電話を認識せずに、各データ記憶手段に識別子を既に格納してもよい。識別子及びＭＳＩＳＤＮ内線番号が同一でない場合、識別子とＭＳＩＳＤＮ内線番号との双方がオペレータにより各データ記憶手段に格納されてもよい。
【００２０】
請求項４に記載の本発明の他の例示的な実施例によれば、第１のデータ記憶手段は、第１の加入者識別モジュールを有し、第１の加入者識別モジュールは、第１の情報を格納するように適合される。
【００２１】
有利には、本発明のこの例示的な実施例によれば、加入者識別モジュールは、これにＩＭＳＩ（移動局国際ＩＳＤＮ番号に対応してもよい）と個々の識別子とを格納することにより、ネットワークオペレータにより構成されてもよい。識別子及びＭＳＩＳＤＮ内線番号が同一でない場合、識別子とこれに関連するＭＳＩＳＤＮ内線番号との双方が加入者識別モジュールに格納されてもよい。代替として、オペレータは、ＩＭＳＩ及びＭＳＩＳＤＮ番号をそれぞれ有するが個々の識別子を有さない同一の加入者識別モジュールを発行してもよい（個々の識別子は各移動局により起動される加入者識別モジュールに後で格納されてもよい）。識別子及びＭＳＩＳＤＮ内線番号が同一でない場合、これらの双方が加入者識別情報に後で格納されてもよい。
【００２２】
請求項５に記載の本発明の他の例示的な実施例によれば、登録サポートシステムは、第１の移動局が挿入されたＳＩＭでネットワークにブッキングするときに、生成プロトコルに基づいて第１の識別子の生成を起動するように適合される。挿入されたＳＩＭは、このような登録手順に最初に関与する。第１の識別子の生成の後に、第１の識別子は、第１のデータ記憶手段に格納される。
【００２３】
識別子及びＭＳＩＳＤＮ内線番号が同一でない場合、ユーザは、選択するためにＭＳＩＳＤＮ内線番号のみを検出してもよく、これにより、対応する識別子が選択されてもよい。
【００２４】
本発明の例示的な実施例によれば、新しい加入者識別モジュールがオペレータにより発行された場合に、通信ネットワークは、（登録サポートシステムにより起動された後に）個々の識別子を生成し、挿入されたＳＩＭをそれぞれ有する移動局にこれらを伝達してもよい（ＳＩＭは登録手順に最初に関与する）。このように、（ユーザの各グループに対して）オペレータにより発行された全ての加入者識別モジュールは同一でもよい。識別子及びＭＳＩＳＤＮ内線番号が同一でない場合、通信ネットワークは識別子及び関連するＭＳＩＳＤＮ内線番号を生成し、これらの双方を移動局に伝達してもよい。移動局は、登録手順に最初にＳＩＭを必要とする。
【００２５】
請求項６に記載の本発明の他の例示的な実施例によれば、登録サポートシステムは、選択手段を更に有し、選択手段は、ユーザにより第１の識別子を選択するように適合される。第１の識別子の選択の後に、第１の識別子は、第１のデータ記憶手段に格納される。識別子及びＭＳＩＳＤＮ内線番号が同一でない場合、選択手段は、ＭＳＩＳＤＮ内線番号を選択するように適合され、これにより、対応する識別子が選択されてもよい。
【００２６】
有利には、本発明のこの例示的な実施例によれば、（特定の時間に（例えば、ユーザの移動局が最初に使用されるＳＩＭでネットワークにブッキングするときに通常に行われる割り当てが行われるときに））ユーザは、複数の生成された可能な識別子（すなわち、ＳＩＭの各グループの他のＳＩＭにまだ割り当てられていない）のうち何の識別子がこのＳＩＭに関連する個々の識別子として使用されるかを選択してもよい。識別子及びＭＳＩＳＤＮ内線番号が同一でない場合、ユーザはＭＳＩＳＤＮ内線番号のみを検出してもよく、これにより、対応する識別子が選択されてもよい。
【００２７】
請求項７に記載の本発明の他の例示的な実施例によれば、第１の移動局は、第１の移動局に対応する第１の装置識別情報を有し、登録サポートシステムは、第１のデータ記憶手段に第１の装置識別情報を格納するように適合される。
【００２８】
有利には、第１のデータ記憶手段に第１の装置識別情報を格納することにより、通信ネットワークでの第１の移動局の登録が更に改善され得る。
【００２９】
請求項８に記載の本発明の他の例示的な実施例によれば、登録サポートシステムは、加入者識別情報と第１の識別子との間の割り当てを通信ネットワークのレジスタに格納するように設定される。識別子及びＭＳＩＳＤＮ内線番号が同一でない場合、格納される割り当ては、加入者識別情報と第１の識別子とＭＳＩＳＤＮ内線番号との間のものである。
【００３０】
有利には、このことは、割り当てが通信ネットワークのレジスタに格納された後に、ネットワークを介した他の移動局による第１の移動局のアドレス指定を可能にし得る。
【００３１】
請求項９に記載の本発明の他の例示的な実施例によれば、登録サポートシステムは、加入者識別情報と装置識別情報と第１の識別子との間の割り当てを通信ネットワークのレジスタに格納するように設定される。識別子及びＭＳＩＳＤＮ内線番号が同一でない場合、格納される割り当ては、加入者識別情報と装置識別情報と第１の識別子とＭＳＩＳＤＮ内線番号との間のものである。
【００３２】
請求項１０に記載の本発明の他の例示的な実施例によれば、登録サポートシステムは、第１のデータ記憶手段から第１の装置識別情報の手動除去を実行するように適合される。
【００３３】
請求項１１に記載の本発明の他の例示的な実施例によれば、通信ネットワークで初期登録する移動局が提供され、移動局は、第１のデータ記憶手段を有し、第１のデータ記憶手段は、加入者識別情報と第１の識別子とを有する第１の情報を格納するように適合され、第１の識別子は、第２の移動局の第２のデータ記憶手段により加入者識別情報と共に格納される第２の識別子と異なる。識別子及びＭＳＩＳＤＮ内線番号が同一でない場合、第１のデータ記憶手段は、加入者識別情報と第１の識別子と第１のＭＳＩＳＤＮ内線番号とを有する第１の情報を格納するように適合されてもよく、第１の識別子（及び第１のＭＳＩＳＤＮ内線番号）は、第２の移動局の第２のデータ記憶手段により加入者識別情報と共に格納される第２の識別子（及び第２のＭＳＩＳＤＮ内線番号）と異なる。
【００３４】
有利には、本発明のこの例示的な実施例は、通信ネットワークで改善した登録を実行するように適合される移動局を提供してもよい。
【００３５】
請求項１２に記載の本発明の他の例示的な実施例によれば、通信ネットワークでの移動局の初期登録方法が提供され、移動局は、第１のデータ記憶手段を有し、この方法は、移動局から通信ネットワークに、第１のデータ記憶手段に共に格納される第１の識別子と加入者識別情報とを送信するステップを有する。加入者識別情報は、第１のデータ記憶手段を有するデータ記憶手段のグループに対応し、第１の識別子は、第１のデータ記憶手段に対応する。識別子及びＭＳＩＳＤＮ内線番号が同一でない場合、識別子と識別子に関連するＭＳＩＳＤＮ内線番号との双方が第１のデータ記憶手段に対応する。
【００３６】
換言すると、本発明のこの例示的な実施例によれば、通信ネットワークでの移動局の初期登録方法が提供され、移動局は、移動局のグループ内で他の移動局の加入者識別情報と同一の加入者識別情報を扱う。更に、移動局は、例えば移動局のグループの他の移動局と同じ移動局国際ＩＳＤＮ番号（加入者識別情報に対応してもよい）を扱うが、個々の第１の識別子を扱う（個々の第１の識別子は、移動局のグループの他の移動局の識別子と異なる）。識別子及びＭＳＩＳＤＮ内線番号が同一でない場合、移動局は、移動局のグループの他の移動局と同じ移動局国際ＩＳＤＮ番号を扱うが、個々の第１の識別子及び個々の第１のＭＳＩＳＤＮ内線番号を扱う。個々の第１の識別子及び個々の第１のＭＳＩＳＤＮ内線番号は、移動局のグループの他の移動局の識別子及びＭＳＩＳＤＮ内線番号と異なる。このことは、通信ネットワークでの第１の移動局の改善した登録を提供し得る。
【００３７】
本発明の他の例示的な実施例は、従属項１３〜１７に記載されている。
【００３８】
請求項１８に記載の本発明の他の例示的な実施例によれば、通信ネットワークで移動局の初期登録を実行するソフトウェアプログラムが提供され、コンピュータプログラムは、本発明による方法をプロセッサに実行させる。
【００３９】
同じＩＭＳＩを有する（従って同じＭＳＩＳＤＮ番号を有する）複数の同一のＳＩＭカードにより表される単一の契約に基づいて、例えばＧＳＭ又はＵＭＴＳモードで動作するＰＡＢＸ機能が通信ネットワークに提供されることが、本発明の例示的な実施例の要旨としてみなされて得る。本発明の例示的な実施例によれば、識別子に対応する登録（ＭＳＩＳＤＮ内線番号と同一でもよく、一意にＭＳＩＳＤＮ内線番号にマッピングされてもよい）が個々のユーザに取り入れられ、対応する個々のＳＩＭカードにそれぞれ格納される。従って、コアネットワーク内部のシグナリング手順がかなり簡略化され得る。
【発明を実施するための最良の形態】
【００４０】
本発明の前記及び他の態様は、以下に説明する実施例から明らかになり、実施例を参照して説明する。
【００４１】
図面を参照して、本発明の例示的な実施例について以下に説明する。
【００４２】
図１は、同一のＩＭＳＩ及びＭＳＩＳＤＮを備えたＳＩＭのグループのうちＳＩＭを含む移動局のパケット交換ドメインでの初期登録の概略図を示している。ＳＩＭは識別子を既に格納しており、この識別子はＭＳＩＳＤＮ内線番号と同一であり、ＳＩＭの配布の前にホームロケーションレジスタ（ＨＬＲ：ｈｏｍｅ  ｌｏｃａｔｉｏｎ  ｒｅｇｉｓｔｅｒ）にＩＭＳＩ及びＭＳＩＳＤＮと共に格納されていてもよい。
【００４３】
図２は、同一のＩＭＳＩ及びＭＳＩＳＤＮを備えたＳＩＭのグループのうちＳＩＭを含むユーザ装置のパケット交換ドメインでの初期登録の概略図を示している。ＳＩＭは識別子をまだ格納しておらず、この識別子はＭＳＩＳＤＮ内線番号と同一であり、ＩＭＳＩ及びＭＳＩＳＤＮと共にＨＬＲで既に利用可能でもよく、ＨＬＲで生成されてもよい。ＨＬＲは、生成までＩＭＳＩ及びＭＳＩＳＤＮのみを格納してもよく、この識別子は登録手順の間にユーザ装置を介してＳＩＭに伝達される。
【００４４】
図３は、本発明の例示的な実施例による登録サポートシステムを示している。
【００４５】
図１は、パケット交換ドメインでの移動局の初期登録の概略図を示している。ここで、ＳＩＭが配布される前に、ＭＳＩＳＤＮ内線番号は既にＨＬＲに割り当てられている。図１からわかるように、本発明は、発呼者にとって被呼者がＰＡＢＸの場合に行われていたものと同じ方法で（すなわち、内線番号で補われる基本番号を用いて）選択されるように、複雑な手順を回避することを可能にし得る概念及び必要なシグナリング手順を記載する。
【００４６】
従って、移動オペレータは同じＩＭＳＩを扱うＳＩＭカードのセットを発行してもよい。ＳＩＭカードのセットは、顧客（例えば中小企業でもよい）にＰＡＢＸのような接続環境を設定するために使用され得る。各従業員は、同じＩＭＳＩを有するＳＩＭを取得し、自分の移動電話と共にこれを使用する。従って、一意のＳＩＭの場合に利用可能なＭＳＩＳＤＮは、各従業員の各移動電話に１つずつ使用され、内線番号で補われる。
【００４７】
ＰＡＢＸプールの各移動電話（ユーザ装置（ＵＥ：ｕｓｅｒ  ｅｑｕｉｐｍｅｎｔ）又は移動局とも呼ばれる）は自分のＳＩＭを有しており、ＳＩＭは、例えば有線ＳＩＭ−ＵＥインタフェースを介して、移動電話と通信する。基本的には、ＭＳＩＳＤＮ内線番号は、２つの異なる手順により規定されてもよい。すなわち、ＳＩＭに格納されたＭＳＩＳＤＮ内線番号を備えたＳＩＭカードを発行するネットワークのオペレータ又はサービスプロバイダにより規定されてもよく、ユーザ装置がＳＩＭを挿入されてユーザ装置がネットワークにブッキングする際に（ＭＳＩＳＤＮ内線番号が格納されていない）ＳＩＭが最初に関与する場合に、通信ネットワークにより生成されてもよい（生成は登録サポートシステムにより起動されてもよい）。
【００４８】
いずれの場合でも、新しいＭＳＩＳＤＮ内線番号を規定する処理の間に、（ＨＬＲ（Ｈｏｍｅ  Ｌｏｃａｔｉｏｎ  Ｒｅｇｉｓｔｅｒ）、ＶＬＲ（Ｖｉｓｉｔｏｒ  Ｌｏｃａｔｉｏｎ  Ｒｅｇｉｓｔｅｒ）及びＳＧＳＮ（Ｓｅｒｖｉｎｇ  ＧＰＲＳ  Ｓｕｐｐｏｒｔ  Ｎｏｄｅ）内の）位置レジスタに内線が提供されなければならない。この理由は、ＩＭＳＩ及びＭＳＩＳＤＮに加えて、ＭＳＩＤＮ内線番号及び該当する場合にはＩＭＥＩが格納される必要があるからであり、位置レジスタは特定の契約のＩＭＳＩが、異なるＭＳＩＳＤＮ内線番号を有する複数の移動電話で使用されているという事実を認識する必要があるからである。また、ＩＭＥＩが格納される場合には、これは手順の更なる簡略化を提供し得る。
【００４９】
ＳＩＭカードはＰＡＢＸプールを設定する目的でオペレータにより発行されるため、オペレータは、ＭＳＩＳＤＮ及びＩＭＳＩに加えて、既にＭＳＩＳＤＮ内線番号をＳＩＭに格納していてもよい。ＰＡＢＸプールを設定するために使用されるＳＩＭのセット（すなわち、ＭＳＩＳＤＮ＋ＭＳＩＳＤＮ内線番号により移動電話をアドレス指定する目的で、同じＩＭＳＩで発行されたＳＩＭ）も、ここではＳＩＭプールと呼ばれる。
【００５０】
ＳＩＭが移動電話で最初に使用される場合、本発明の例示的な実施例によれば、登録手順中に、移動電話は、無線アクセスネットワークを介して、ＩＭＳＩ及びＭＳＩＳＤＮ内線番号（並びに該当する場合にはそのＩＭＥＩ）をコアネットワークに送信してもよい。本発明の態様によれば、ＩＭＳＩ及びＭＳＩＳＤＮ内線番号並びに該当する場合には移動電話のＩＭＥＩは、移動電話によりホストされるＳＩＭに格納される。ＭＳＩＳＤＮは、既にコアネットワークに既知でもよく、コアネットワークは、ＩＭＳＩとＭＳＩＳＤＮ内線番号と（該当する場合には）ＩＭＥＩとの間の割り当てを、少なくともホームロケーションレジスタ（ＨＬＲ：ｈｏｍｅ  ｌｏｃａｔｉｏｎ  ｒｅｇｉｓｔｅｒ）に格納してもよい。
【００５１】
従業員の１人が自分のＳＩＭを異なる移動電話（場合によっては同僚の１人（すなわち、同じＩＭＳＩ及び異なるＭＳＩＳＤＮ内線番号で他のＳＩＭに予めホストされている移動電話））に挿入した場合、ユーザ装置がコアネットワーク及び無線アクセスネットワークに登録したときに、ＩＭＳＩとＭＳＩＳＤＮ内線番号とＩＭＥＩとの間の関連は、ＳＩＭカードを現在保持しているユーザ装置のＩＭＥＩが、コアネットワーク（すなわち、少なくともＨＬＲ）で、及び例えば無線アクセスネットワークでも、ＭＳＩＳＤＮ内線番号と共に認識されるように変更されてもよい。ＣＮ及びＲＡＮ内部ルーティングでは、“位置登録（ｌｏｃａｔｉｏｎ  ｒｅｇｉｓｔｒａｔｉｏｎ）”又は“ＧＰＲＳ帰属（ＧＰＲＳ  ａｔｔａｃｈ）”の既知の技術が適用され得る。この場合、契約のＩＭＳＩは既にＨＬＲに知られているため、対応するメッセージは、ＭＳＩＳＤＮ内線番号フィールドにより、又は該当する場合にはＭＳＩＳＤＮ内線番号フィールド及びＩＭＥＩフィールドのうち少なくとも１つにより補われさえすればよい。
【００５２】
ＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）及びＬＡＩ（Ｌｏｃａｔｉｏｎ  Ａｒｅａ  Ｉｄｅｎｔｉｔｙ）又はＰ−ＴＭＳＩ（ＴＭＳＩ  ｏｆ  ｔｈｅ  ｐａｃｋｅｔ  ｓｗｉｔｃｈｅｄ  ｄｏｍａｉｎ）及びＲＡＩ（Ｒｏｕｔｉｎｇ  Ａｒｅａ  Ｉｄｅｎｔｉｔｙ）（後者は移動電話がパケット交換ドメインに接続されている場合であり、前者は移動電話が回線交換ドメインに接続されている場合である）の組み合わせが、一時的なコアネットワーク関連識別子として移動電話に割り当てられてもよい。一時的なコアネットワーク関連識別子は、ＩＭＳＩ及びＩＭＥＩの組み合わせを介して必ずしも移動電話を識別する必要のない全ての場合に使用されてもよい。このＴＭＳＩ及びＬＡＩの組み合わせは、ＳＩＭにＩＭＥＩと共に格納されなければならないことがある。これにより、他のユーザ装置にＳＩＭを挿入するときに、結果として異なるＩＭＥＩ（“ＩＭＥＩ  ｎｅｗ”）で、ユーザ装置はコアネットワークに対してＩＭＳＩと“ＩＭＥＩ  ｎｅｗ”とＭＳＩＳＤＮ内線番号の組み合わせとを用いて自分を識別する。新しいＴＭＳＩ及びＬＡＩは、この新しいエンドポイント（すなわち、ＳＩＭを有する“ＩＭＥＩ  ｎｅｗ”を備えた移動電話）に割り当てられてもよい。新しいエンドポイントは、ＩＭＳＩ及びＭＳＩＳＤＮ内線番号を扱い、前のＴＭＳＩ及びＬＡＩの組み合わせは破棄される。
【００５３】
図１からわかるように、ＵＭＴＳネットワークのパケット交換ドメインの場合の場合に、本発明の例示的な実施例による登録手順は、以下のステップで実行されてもよい（同様の方式が回線交換ドメインに当てはまる点に留意すべきである）。
【００５４】
ユーザ装置と無線ネットワークシステム（ＲＮＳ：ｒａｄｉｏ  ｎｅｔｗｏｒｋ  ｓｙｓｔｅｍ）との間の無線リソース制御（ＲＲＣ：Ｒａｄｉｏ  Ｒｅｓｏｕｒｃｅ  Ｃｏｎｔｒｏｌ）接続を設定するために、ＳＩＭカードをホストする移動電話のＩＭＳＩ、ＭＳＩＳＤＮ内線番号（図１ではＭＳＩＳＤＮｅｘｔで示す）及び該当する場合にはＩＭＥＩを扱うように、“ＲＲＣ接続要求（ＲＲＣ  ｃｏｎｎｅｃｔｉｏｎ  ｒｅｑｕｅｓｔ）”メッセージが提供される。ＩＭＥＩの追加は、更なる簡略化を提供し得る。
【００５５】
ＵＭＴＳでは、ＲＮＳはＲＮＣ（ＲＮＣが制御する全てのＮｏｄｅＢでの無線ネットワークコントローラ（Ｒａｄｉｏ  Ｎｅｔｗｏｒｋ  Ｃｏｎｔｒｏｌｌｅｒ））で表される。
【００５６】
同様に、ＩＭＳＩ、ＭＳＩＳＤＮ内線番号及び該当する場合にはＩＭＥＩを扱うように、ユーザ装置からＳＧＳＮ（ｓｅｒｖｉｎｇ  ＧＰＲＳ  ｓｕｐｐｏｒｔ  ｎｏｄｅ）に送信され得る“帰属要求（ａｔｔａｃｈ  ｒｅｑｕｅｓｔ）”メッセージと、ＳＧＳＮからＨＲＬに送信され得る“認証情報送信（ｓｅｎｄ    ａｕｔｈｅｎｔｉｃａｔｉｏｎ  ｉｎｆｏ）”メッセージとが提供される。“送信認証情報”メッセージで、ＩＭＳＩとＭＳＩＳＤＮ内線番号と該当する場合にはＩＭＥＩとの間の関連付けがＨＬＲに利用可能になり、これにより、コアネットワーク内部のアドレス指定の目的で、エンドポイントがＩＭＳＩ、ＭＩＳＩＤＮｅｘｔ及び該当する場合にはＩＭＥＩにより一意に識別され、また、発呼ルーティングの目的で、ＭＳＩＳＤＮとＭＳＩＳＤＮ内線番号とが、ＭＳＩＳＤＮ内線番号とＩＭＳＩと該当する場合にはＩＭＥＩとの間の関連付けのためコアネットワークに可視的になり得る。
【００５７】
“認証情報ＡＣＫ送信”で、このような特定のＱｕｉｎｔｕｐｌｅ（ＲＡＮＤ、ＸＲＥＳ、ＡＵＴＮ、ＣＫ及びＩＫ）が（ＩＭＳＩ、ＭＳＩＳＤＮ内線番号及び該当する場合にはＩＭＳＩにより識別される）特定のエンドポイントのＳＧＳＮに配信され、ＳＧＳＮはユーザ装置への認証手順を開始する。ＲＲＣ接続が既に存在するため、ユーザ装置によりホストされるＳＩＭのＩＭＳＩ及び該当する場合にはユーザ装置のＩＭＥＩと共にＭＳＩＳＤＮ内線番号により識別されるユーザ装置であるエンドポイントのアドレス指定は、Ｕ−ＲＮＴＩ（ＵＴＲＡＮ  ｒａｄｉｏ  ｎｅｔｗｏｒｋ  ｔｅｍｐｏｒａｒｙ  ｉｄｅｎｔｉｔｙ）を用いて実行されてもよい。Ｕ−ＲＮＴＩはＵＴＲＡＮを通じて一意である。
【００５８】
同じＩＭＳＩでは、多くのエンドポイントに到達し得るため、ＨＬＲは認証センタ（図１に図示せず）から多くのセキュリティＱｕｉｎｔｕｐｌｅを取り出さなければならないことがある。
【００５９】
回線交換ドメインでは、ＲＮＣをコアネットワーク（ＳＧＳＮに対応する）に接続する関連のコアネットワークノードは、ＭＳＣ（Ｍｏｂｉｌｅ  Ｓｗｉｔｃｈｉｎｇ  Ｃｅｎｔｅｒ）である。登録情報を伝達する利用可能なメッセージは、異なる名前を有してもよい。また、ＶＬＲ（Ｖｉｓｉｔｏｒ  Ｌｏｃａｔｉｏｎ  Ｒｅｇｉｓｔｅｒ）が回線交換ドメインに明示的に関与してもよく、これがパケット交換ドメインのＳＧＳＮの機能になってもよい。
【００６０】
図２は、パケット交換ドメインでのユーザ装置の初期登録の概略図を示している。ここでは、ＭＳＩＳＤＮ内線番号はＨＬＲにまだ割り当てられていない。この種類の初期登録は、ＳＩＭプールのＳＩＭが移動電話で最初に使用されるときに、ちょうど一回だけ実行されてもよい。このため、ＳＩＭはＭＳＩＳＤＮ内線番号をまだ格納しない。この手順の後に、ＭＳＩＳＤＮ内線番号がＳＩＭに格納され、このＳＩＭをホストする移動電話の後の登録手順の間に、図１による初期登録手順が適用される。図２によれば、ＳＩＭが格納済のＭＳＩＳＤＮ内線番号を有さず、ネットワークにブッキングするユーザ装置で最初に使用されるときに、コアネットワーク内で（例えばＨＬＲで）ＭＳＩＳＤＮ内線番号が生成されてもよい。内線番号はＮ１＋１だけ提供されてもよい。Ｎ１は、ＳＩＭがこれらのＳＩＭをホストする移動電話の登録手順に既に関与しており、これによりＭＳＩＳＤＮ内線番号がこれらのＳＩＭのそれぞれに既に格納されているＳＩＭプールのＳＩＭ数である。ここで、各移動電話のＩＭＥＩが世界中で一意である点に留意すべきである。
【００６１】
従って、同じＩＭＳＩを共有するＳＩＭのプールＳＩＭ＿ｐｏｏｌ＝｛Ｓ１，Ｓ２，Ｓ３，．．．｝のＳＩＭについて、以下のことが当てはまる。
−ＳＩＭ＿ｐｏｏｌのＳＩＭに関与する初期登録を実行するために移動電話で使用されるＳＩＭ  Ｓ１は、内線番号“１”を取得し、この内線番号はもはや利用可能でなくなる。
−Ｓ１のないＳＩＭ＿ｐｏｏｌ（すなわち、ＳＩＭ＿ｐｏｏｌ＼｛Ｓ１｝）のＳＩＭに関与する初期登録手順を実行するために移動電話で使用されるＳＩＭ  Ｓ２は、内線番号“２”を取得し、この内線番号はもはや利用可能でなくなる。
−Ｓ１及びＳ２のないＳＩＭ＿ｐｏｏｌ（すなわち、ＳＩＭ＿ｐｏｏｌ＼｛Ｓ１，Ｓ２｝）のＳＩＭに関与する初期登録手順を実行するために移動電話で使用されるＳＩＭ  Ｓ３は、内線番号“３”を取得し、この内線番号はもはや利用可能でなくなる。
以下同様である。
【００６２】
当然に、本発明の範囲を逸脱することなく、初期登録中に内線番号を割り当てる他の方法が存在し得る。例えば、特定のＳＩＭに関与する初期登録手順中に、コアネットワークは利用可能な内線番号のリストを伝達してもよい。このリストがＳＩＭをホストする移動電話のディスプレイを介してユーザに提示される。ユーザはリストから１つの内線番号を選択し得る。
【００６３】
現在の移動電話のＭＳＩＳＤＮで既に可能であるように、内線番号が割り当てられた後に、ＳＩＭに格納された内線番号が、（例えばユーザにより起動された）移動電話のスクリーンに表示されてもよい。
【００６４】
このことは、所定のＩＭＳＩで複数のエンドポイントに到達可能であることをＨＬＲに提示しさえすればよいため、ネットワークオペレータの必要な手順を簡略化し得る。複数のエンドポイントは、ＭＳＩＳＤＮ内線番号又は該当する場合には移動電話のＩＭＥＩと区別され、ＭＳＩＳＤＮ＋ＭＳＩＳＤＮ内線番号を介してアドレス指定可能である。
【００６５】
移動電話のこの初期登録の後に、ＭＳＩＳＤＮ内線番号はＳＩＭに格納される。更に、該当する場合にはＩＭＥＩも、新しいＴＭＳＩ及びＬＡＩ又はＰ−ＴＭＳＩ及びＲＡＩと共に、図１に従ってＳＩＭに格納される。これにより、この特定のＳＩＭが異なるＩＭＥＩを常に有する他の移動電話で使用され得る。この場合、場合によってはＴＭＳＩ及びＬＡＩ又はＰ−ＴＭＳＩ及びＲＡＩと共に、古いＩＭＥＩがＳＩＭから除去されてもよい。これらは、更なる登録手順でネットワークにより新しく割り当てられてもよく、更なる登録手順で、移動電話はＩＭＳＩ、ＭＳＩＳＤＮ内線番号及び該当する場合には新しいＩＭＥＩを用いてコアネットワークに対して自分を識別する。
【００６６】
このことは、以下の理由で必要になることがある。ＩＭＥＩ（ＵＥ１）でＵＥ１で使用されているときに、ＭＳＩＳＤＮ内線番号を備えたＳＩＭがＴＭＳＩとＬＡＩとの組み合わせを格納していることを仮定する。これが後にＵＥ２に挿入され、これまで割り当てられていたＴＭＳＩ＋ＬＡＩの組み合わせが保持される場合、コアネットワークは、ＴＭＳＩ＋ＬＡＩの組み合わせでエンドポイントがアドレス指定されることを仮定する。これはＩＭＥＩ（ＵＥ１）を有する。コアネットワークがＴＭＳＩ＋ＬＡＩの組み合わせでエンドポイントにコンタクトすることができないため、ＴＭＳＩ＋ＬＡＩの組み合わせに関連するＩＭＳＩ＋ＩＭＥＩの組み合わせを使用することを決定し得るという希な場合であるが、可能性のある場合に、ＵＥ２に到達することができない。この時点でＵＥ２はＳＩＭをホストしており、従って、ＵＥが異なるＩＭＳＩ（ＵＥ２）を有するため、新しいエンドポイントになる。この問題は、ＩＭＥＩ（ＵＥ１）が格納されたＳＩＭがＵＥ２に挿入されてＵＥ２が電源オンになった後に、ＵＥ２がネットワークに登録手順を開始する場合にのみ、解決され得る。登録手順では、ＩＭＳＩ、ＵＥ２のＩＭＥＩ及びＭＳＩＳＤＮ内線番号で自分（すなわち、新しいエンドポイント）を識別し、格納されているＩＭＥＩ（ＵＥ１）を除去し、ＳＩＭにＩＭＥＩ（ＵＥ２）を格納する。
【００６７】
前記の問題を解決する更に他の手法は以下の通りである。ＳＩＭがＵＥ１から外されてＵＥ２に挿入された後に、前記の例のＵＥ２が初めてネットワークに登録する場合、これはネットワークの登録のためにＳＩＭに格納されたＴＭＳＩ＋ＬＡＩの組み合わせを依然として使用する。ＴＭＳＩ＋ＬＡＩの組み合わせを使用した登録試行に応じて、（ＵＥがＩＭＳＩ及び内線番号を用いて識別されるエンドポイントを示すことを認識して）ネットワークは、問い合わせ手順により登録手順を補う。問い合わせ手順では、ＵＥ２は、自分のＩＭＥＩ（及び場合によってはＳＩＭに格納されたＩＭＳＩ及びＭＳＩＳＤＮ内線番号）を示すように要求される。この手順の完了後に、ネットワークは、ＴＭＳＩ＋ＬＡＩとＩＭＳＩ（ＵＥ２）、ＩＭＳＩ及びＭＳＩＳＤＮ内線番号との間の正確な関連付けを認識する。
【００６８】
図２によれば、ＭＳＩＳＤＮ内線（“ＭＳＩＳＤＮｅｘｔ”）が初期登録手順の間に割り当てられる。全ての後の登録手順では、ＭＳＩＳＤＮ内線番号は、既にＳＩＭに格納されているため、ネットワークから移動電話又はＵＥでホストされるＳＩＭにもはや配信され得ない。
【００６９】
図３は、ＵＭＴＳのＰＳ（パケット交換）ドメインの場合での本発明の例示的な実施例による登録サポートシステムを示している。図３に示すネットワークは、複数の無線セル２０１、２０２、２０３、２０４、２０５、２０６を有し、複数の無線セル２０１、２０２、２０３、２０４、２０５、２０６は、ＵＥ又は移動局６、７、８と、異なるネットワークノード（異なるＮｏｄｅＢ（ＵＴＲＡＮ２０７と無線セルとを関連付ける）、ＲＮＣ、ＳＧＳＮ（Ｓｅｒｖｉｎｇ  ＧＰＲＳ  Ｓｕｐｐｏｒｔ  Ｎｏｄｅ）及びＧＧＳＮ（Ｇａｔｅｗａｙ  ＧＰＲＳ  Ｓｕｐｐｏｒｔ  Ｎｏｄｅ）ノード等）とを有する。ＵＴＲＡＮの一部であるＮｏｄｅＢ及びＲＮＣは、ｌｕｂインタフェースを介して関連付けられる。ＲＮＣ及びＳＧＳＮ（ＵＴＲＡＮとＣＮ２０８とを関連付ける）はｌｕ−ｐｓインタフェースを介して関連付けられる。ＣＮ２０８の一部であるＳＧＳＮ及びＧＧＳＮは、Ｇｎ／Ｇｐインタフェースを介して関連付けられる。更に、ＧＧＳＮはＧｉインタフェースを介して外部ネットワーク２０９に関連付けられる。外部ネットワーク２０９は周知のインターネットでもよい。
【００７０】
登録サポートシステムは、第１の移動局６と、第２の移動局７と、第３の移動局８とを有する。更に、登録サポートシステムは、それぞれ通信リンク９、１０、１１を介して第１、第２及び第３の移動局６、７、８に関連付けられた第１のプロセッサ３と、第２のプロセッサ４と、第３のプロセッサ５とを有する。
【００７１】
プロセッサ３、４、５は、通信ネットワークで移動局の初期登録を実行するコンピュータプログラムを実行するために使用される。これによって、例えば、コンピュータプログラムは、加入者識別情報及び該当する場合には装置識別情報と共に、第１のデータ記憶手段に格納された第１の内線番号の移動局６から通信ヘットワークへの送信を、プロセッサ３に実行させる。第１のデータ記憶手段（図３には図示せず）は、第１の移動局６の一部でもよく、例えば現在の移動電話にＳＩＭカードを実装するために使用されるＩＣカードでもよい。更に、プロセッサ３は第１の移動局６に統合されてもよく、プロセッサ４は第２の移動局７に統合されてもよく、プロセッサ５は第３の移動局８に統合されてもよい。
【００７２】
該当する場合には第１の移動局６からＲＮＣ１６に送信される装置識別情報は、通信リンク１２を介して送信され、第１の移動局６の個々の装置識別情報である。第１の移動局６で使用されるデータ記憶手段の個々の第１の内線番号と共に、加入者識別情報（加入者識別情報は全ての３つの移動局６、７、８のデータ記憶手段で同じである）及び該当する場合には個々の第１の装置識別情報は、通信リンク１２を介して送信される。
【００７３】
同じ情報又は他の情報が、通信リンク１５を介して第１の移動局６から第２のレジスタ１７に送信されてもよい。例えば、第２のレジスタ１７はＳＧＳＮによりホストされるビジターロケーションレジスタ（ＶＬＲ：Ｖｉｓｉｔｏｒ  Ｌｏｃａｔｉｏｎ  Ｒｅｇｉｓｔｅｒ）でもよい。同じ情報又は他の情報がホームロケーションレジスタ（ＨＬＲ：Ｈｏｍｅ  Ｌｏｃａｔｉｏｎ  Ｒｅｇｉｓｔｅｒ）（図３に図示せず）へのコアネットワークに更に送信されてもよい。
【００７４】
この点に関して、図３は、通信ネットワークでの移動局の初期登録に使用されるこのような登録サポートシステム及び対応するシグナリングのリンクを非常に概略的且つ簡略的に示している点に留意すべきである。更なる詳細な表現は、図１及び２に提供されている。
【００７５】
しかし、第１の移動局６がＭＳＩＳＤＮ内線番号を割り当てられた後に、第２の移動局７はネットワークにブッキングしてもよい。本発明の態様によれば、第２の移動局７は、ＭＳＩＳＤＮ電話番号と共に移動局６のＳＩＭカードと同じ加入者識別情報を（最初に）格納する第２の加入者識別モジュール（ＳＩＭ）を有する。第２の移動局７が登録手順で最初にＳＩＭに関与するネットワークにブッキングすると、可能な内線番号のセットの生成がネットワーク（例えばＨＬＲ）で生成プロトコルに基づいて実行される。可能なＭＳＩＳＤＮ内線番号のセットの生成の後に、このセットは、例えば通信リンク１５及び１２を介して、移動局に伝達され、第２の移動局７のユーザは、選択ツールを用いて可能なＭＳＩＳＤＮ内線番号のセットのうち１つのＭＳＩＳＤＮ内線番号を選択するように要求される。個々のＭＳＩＳＤＮ内線番号を選択した後に、この特定のＭＳＩＳＤＮ内線番号が第２の移動局７の第２のＳＩＭカードに格納され、例えばＨＬＲがユーザの選択について通知される。これにより、移動局７のＩＭＥＩと移動局７に挿入されたＳＩＭのＩＭＳＩとＭＳＩＳＤＮ内線番号との間の関連付けを構築し得る。
【００７６】
ＳＩＭのプールのＳＩＭのＩＭＳＩは、例えばメンテナンス目的でこのプールのＳＩＭで一緒にネットワークにブッキングされている全ての移動電話をアドレス指定するために、ネットワークにより使用されてもよい。
【００７７】
登録サポートシステムの第２の移動局と通信システムの他の部分との間のシグナリングは、通信リンク１２、１３、１４、１５、１５１及びＨＬＲへの更なる通信リンクの少なくとも１つを介して実行されてもよい。この通信リンクとＨＬＲとの双方は図３に図示されていない。
【００７８】
更に、第１のＭＳＩＳＤＮ内線番号が第１の移動局６に割り当てられ、第２のＭＳＩＳＤＮ内線番号が第２の移動局７に割り当てられた後に、第３のユーザは、新しいＳＩＭカードを移動局８に入れて移動局８を電源オンすることにより、最初にネットワークにブッキングしてもよい。次に、可能なＭＳＩＳＤＮ内線番号のセットの更なる生成又は選択がコアネットワーク（例えばＨＬＲ）により起動及び実行され、コアネットワークは、通信リンク１５及び１４を介して及び無線インタフェースを介して可能なＭＳＩＳＤＮ内線番号のリストを移動局８に伝達する。その後に、適切なＭＳＩＳＤＮ内線番号の選択は、移動局８のユーザにより実行されてもよい。この個々のＭＳＩＳＤＮ内線番号は移動局８のＳＩＭカードに格納され、図１の関連メッセージで既に図示しているように、加入者識別情報及び該当する場合には第３の移動局８の装置識別情報と共に、ＲＮＣを介して関連のコアネットワークノード及び無線ネットワークノードに送信される。
【００７９】
本発明は、従業員がほとんどの時間を社外で過ごす中小企業に適用され得る。これにより、移動装置との“無線時間”が通常では非常に高価であるため、同じビルの会社間での内部電話通信が通信のほとんどを占めなくなる。異なるビジネスモデルでは、オペレータは、会社区域での電話通信リンクを無料で提供してもよく、料金は会社区域の外部に適用される。このようなビジネスモデルは、会社区域の呼と会社の外部の少なくとも１つの端末との呼とを区別するために、位置情報の評価を必要とし得る。
【００８０】
（ＰＡＢＸと同様に）グループの全メンバに単一の契約が運営されてもよい。このため、オペレータは、それぞれ同じＩＭＳＩを扱うがＭＳＩＳＤＮ内線番号を扱わない（本発明の例示的な実施例による新しい形式の）同じＳＩＭカードの同一のコピーで、同じＩＭＳＩ及び異なる内線番号を備えたＳＩＭカードを発行してもよい。
【００８１】
このように、オペレータは、ＭＳＩＳＤＮ内線番号が使用されていない又は存在しない新しい形式の単一のＳＩＭを最初に発行し、ＰＡＢＸ機能が後に必要な場合に、後で更なるＳＩＭカード（同じＩＭＳＩ及び更なる内線番号を有する又は内線番号を有さない）を発行してもよい。
【００８２】
従って、ＭＳＩＳＤＮに加えて、ＭＳＩＳＤＮ番号方式と異なり得るＭＳＩＳＤＮ内線番号が使用されるため、ユーザのグループに配布されなければならないＩＭＳＩの数が１つだけまで低減され、利用可能な電話番号の数が増加する。
【００８３】
“有する”という用語は他の要素又はステップを除外せず、“である”、“又は”、単数は複数を除外せず、単一のプロセッサ又はシステムは請求項に記載の複数の手段の機能を実行してもよい点に留意すべきである。また、異なる実施例に関連して説明した要素が組み合わされてもよい。
【００８４】
請求項の如何なる参照符号も請求項の範囲を限定するものとして解釈されるべきではない点に留意すべきである。
【図面の簡単な説明】
【００８５】
【図１】同一のＩＭＳＩ及びＭＳＩＳＤＮを備えたＳＩＭのグループのうちＳＩＭを含む移動局のパケット交換ドメインでの初期登録の概略図
【図２】同一のＩＭＳＩ及びＭＳＩＳＤＮを備えたＳＩＭのグループのうちＳＩＭを含むユーザ装置のパケット交換ドメインでの初期登録の概略図
【図３】本発明の例示的な実施例による登録サポートシステム
【図１】
2008515267.tif 000003
【図２】
2008515267.tif 000004
【図３】
2008515267.tif 000005
【国際調査報告】
2008515267.tif 000006
2008515267.tif 000007
2008515267.tif 000008